(57)【要約】【課題】  建物躯体に対して、ＡＬＣパネルがスライドのみしてロッキングしないパネルの上部スライド取付構造を提供する。【解決手段】  Ｈ形鉄骨梁１の下側フランジ１ａの下面に固定されたＬ字型定規アングル２の垂直フランジ部２ａが、稲妻プレート３の上部片３ａの複数の突起部３ａａ,３ａａとパネル壁面との間に挟まれて、さらに、該稲妻プレート３の下部片３ｂの貫通孔３ｂａを挿通させたボルト４がＡＬＣパネル内のアンカー金具に螺合されて、ＡＬＣパネルＰの上部をＨ形鉄骨梁１(建物躯体)に取付るようにした。【選択図】図１
2009235786.tif 000002
【特許請求の範囲】
【請求項１】
ＡＬＣパネルが上下層に建て込まれており、各ＡＬＣパネルの上部と下部とで建物躯体に対してスライドするように取り付けられるＡＬＣパネルの上部スライド取付構造において、
該建物躯体であるＨ形鉄骨梁（１）の下側フランジ（１ａ）の下面に固定されたＬ字型定規アングル（２）の垂直フランジ部（２ａ）が、鋼板を段状に折り曲げた稲妻プレート（３）の上部片（３ａ）に設けられた複数の突起部（３ａａ）とパネル壁面との間に挟まれて、さらに、該稲妻プレート（３）の下部片（３ｂ）に設けられた貫通孔（３ｂａ）を挿通させたボルト（４）がＡＬＣパネル（Ｐ）内のアンカー金具（５）に螺合されて、該ＡＬＣパネル（Ｐ）の上部が建物躯体に取付られていることを特徴とするＡＬＣパネルの上部スライド取付構造。
【請求項２】
前記突起部（３ａａ）は２個設けられている請求項１記載のＡＬＣパネルのスライド取付構造。
【発明の詳細な説明】
【技術分野】
【０００１】
本発明は、ＡＬＣパネルが縦壁パネルとして建物躯体に対してスライドするように取り付けられるＡＬＣパネル（以下パネルという。）の上部スライド取付構造に関するものである。
【背景技術】
【０００２】
縦壁としてのＡＬＣパネルが、建物躯体に対してスライドやロッキングするように取り付けられる取付構造として、図４（特許文献１）または図５（特許文献２）に示す取付構造が知られている。
【０００３】
【特許文献１】実開昭５８−１８１８１０号公報
【特許文献２】実開平０６−４４８３４号公報  図４に示す従来の取付構造は、建物躯体（Ｈ型鉄骨梁１）の下側フランジ１ａにＬ字型定規アングル２が固定されており、そのＬ字型定規アングル２の垂直フランジ部２ａがパネルＰの室内側壁面とプレート６の上部との間に挟まれるようになっている。  さらに、そのプレート６の下部に設けられた貫通孔６ａとパネルＰの壁面とを貫通させたボルト４にナット７が螺合されることで、垂直フランジ部２ａがパネルＰの室内側壁面とプレート６の上部との間に挟まれて、パネルＰの上部がＨ型鉄骨梁１に固定されている。  このパネル取付構造では、パネルＰの室内側壁面とプレート６との間をＬ字型定規アングル２の垂直フランジ部２ａがスライドすることにより、建物躯体に対してパネルＰがスライドする構造となっている。
【０００４】
また、図５に示す従来の取付構造は、Ｈ型鉄骨梁１の下側フランジ１ａにＬ字型定規アングル２が固定されており、稲妻プレート３０の上側片３０ａに設けられた突起３０ａａが、該突起３０ａａ対応して垂直フランジ部２ａに設けられた孔２ａａに嵌合されている。これにより、垂直フランジ部２ａへの稲妻プレート３０の溶接が省略できる構造となっている。
そして、図６に示す稲妻プレート３０の下側片３０ｂに設けられた貫通孔３０ｂａを挿通させたボルト４がパネルＰに埋設されたアンカー金具５に螺合されて、Ｌ字型定規アングル２の垂直フランジ部２ａがパネルＰの室内側壁面に当接された状態で、パネルＰの上部がＨ型鉄骨梁１に固定されている。
このパネル取付構造によれば、垂直フランジ部２ａの孔２ａａに稲妻プレート３０の突起３０ａａが嵌合することで、該プレート３０が垂直フランジ部２ａに固定されているため、建物躯体に対してパネルＰがアンカー金具５を中心としてロッキングする構造となっている。
また、特許文献２には、突起３０ａａと垂直フランジ部２ａの孔２ａａとを遊嵌させることにより、パネルＰをロッキングさせるとともに同時に若干スライドさせる技術が開示されている。
【発明の開示】
【発明が解決しようとする課題】
【０００５】
しかし、これらのパネル取付構造には以下の問題点があった。
図４に示すパネル取付構造では、パネルＰは建物躯体（Ｈ型鉄骨梁１）に対してスライドするように、Ｌ字型定規アングル２の垂直フランジ部２ａがパネルＰの室内側壁面とプレート６の上部との間に挟まれている。
従って、実際の地震等の発生時においては、この垂直フランジ部２ａとプレート６とが面接触しているため、その大きな摩擦力により垂直フランジ部２ａとプレート６とが摺動し難くなり、結果として、建物躯体に対してパネルＰが十分にスライドしない状態となることがある。
これにより、パネルＰが建物躯体に対して若干のスライドするとともに、プレート６の下部に設けられた貫通孔６ａ（パネルＰを貫通させたボルト４）を中心にロッキングしてしまうことがあった。
【０００６】
このように、建物躯体に対して各パネルが各々個別にスライドしたりロッキングしたりするため、地震などの発生時にはパネルＰと建物躯体との位置関係が複雑に変動するようになる。
その結果、Ｈ型鉄骨梁１に固定されたＬ字型定規アングル２とパネルＰの端部とが強く干渉するようになり、その干渉部分にひび割れや欠けが発生する原因となっていた。
【０００７】
また、図５に示すパネル取付構造では、建物躯体に対してパネルＰをロッキングさせることを目的としているが、実際は以下の示すように、パネルＰと建物躯体との位置関係が複雑に変動する。
すなわち、
１）パネルがアンカー金具５を中心にロッキングする。（本来の目的）
２）垂直フランジ部２ａの孔２ａａに稲妻プレート３０の突起３０ａａが嵌合することで、パネルＰがＨ型鉄骨梁１に対して係合され、溶接により完全に固定されていないため、稲妻プレート３０が突起３０ａａ（孔２ａａ）を中心に回動してしまう。
３）稲妻プレート３０の突起３０ａａと垂直フランジ部２ａの孔２ａａとを遊嵌させると、パネルＰがロッキングと同時にスライドもするようになる。（開示技術）
そして、これらのパネルＰと建物躯体との位置関係が複雑に変動した結果、前述の図４に示すパネル取付構造と同様に、パネルＰの端部においてひび割れや欠けが発生するようになる。
【課題を解決するための手段】
【０００８】
本発明は、前記課題を解決するために、
ＡＬＣパネルが上下層に建て込まれており、各ＡＬＣパネルの上部と下部とで建物躯体に対してスライドするように取り付けられるＡＬＣパネルの上部スライド取付構造において、
該建物躯体であるＨ形鉄骨梁の下側フランジの下面に固定されたＬ字型定規アングルの垂直フランジ部が、鋼板を段状に折り曲げた稲妻プレートの上部片に設けられた複数の突起部とパネル壁面との間に挟まれ、さらに、該稲妻プレートの下部片に設けられた貫通孔を挿通させたボルトがＡＬＣパネル内のアンカー金具に螺合されて、該ＡＬＣパネルの上部が建物躯体に取付られているＡＬＣパネルの上部スライド取付構造を採用した。
さらに、前記突起部は２個設けられていることを好ましい条件とした。
【発明の効果】
【０００９】
本発明のＡＬＣパネルの上部スライド取付構造によれば、建物躯体に対してパネルＰがスライドのみしてロッキングしないパネル取り付けが可能となる。
さらに、鉄骨梁に固定された定規アングルに、本発明における稲妻プレートのみを追加使用することにより、その効果が容易に得られて部品点数を少なくするとともに、施工の手間も著しく減少することができる。
【発明を実施するための最良の形態】
【００１０】
以下、本発明の実施形態を図１〜図３に基づいて説明する。なお、符号は従来例と同一のものはその符号を付した。
図１および図２は、各々本発明の一実施形態を示す斜視図および断面図であり、図３は本発明における稲妻プレートの一実施形態を示す斜視図である。
本発明は、ＡＬＣパネルが上下層に建て込まれており、各ＡＬＣパネルの上部と下部とで建物躯体に対してスライドするように取り付けられるＡＬＣパネルの上部スライド取付構造である。
具体的には、図１または図２に示すように、建物躯体であるＨ形鉄骨梁１の下側フランジ１ａの下面に固定されたＬ字型定規アングル２に、図３に示す稲妻プレート３を用いてＡＬＣパネルＰの上部を建物躯体に対してスライドするように取り付ける取付構造である
【００１１】
すなわち、図１および図２に示すように、垂直フランジ部２ａと水平フランジ部２ｂとから成るＬ字型定規アングル２において、その垂直フランジ部２ａに室内側壁面が当接してパネルＰが所定位置に設置されているとともに、水平フランジ部２ｂがＨ形鉄骨梁１の下側フランジ１ａの下面に溶接固定されている。
また、稲妻プレート３は、図３に示すように、鋼板を段状に折り曲げて形成されており、その上部片３ａには複数の突起部３ａａが、下部片３ｂには貫通孔３ｂａがそれぞれ設けられている。
そして、稲妻プレート３の上部片３ａに設けられた複数の突起部３ａａとパネルＰの室内側壁面との間に、Ｌ字型定規アングル２の垂直フランジ部２ａが挟まれた状態で、下部片３ｂの貫通孔３ｂａを挿通させたボルト４がパネルＰ内のアンカー金具５に螺合されている。
【００１２】
本発明のパネル取付構造によれば、稲妻プレート３の上部片３ａの複数の突起部３ａａとパネルＰの室内側壁面との間に垂直フランジ部２ａが挟まれているため、稲妻プレート３においては複数の突起部３ａａのみが垂直フランジ部２ａに当接していることになる。
上部片３ａの突起部３ａａは複数個設けられているため、安定して垂直フランジ部２ａに当接されるともに、一つの突起部３ａａにかかる荷重も分散してされる。
これにより、従来と違って、稲妻プレート３の上部片３ａと垂直フランジ部２ａとの間に発生する摩擦力が非常に小さくなり、パネルＰ(および稲妻プレート３)が垂直フランジ部２ａに対して摺動し易くなるため、結果として、建物躯体に対してパネルＰが容易にスライドする状態となる。
その結果、稲妻プレートの貫通孔３ｂａ（ボルト４）を中心にパネルＰが不要なロッキングすることがなくなり、建物躯体に対してパネルＰがスライドするのみとなるため、地震等の発生時において建物躯体とパネルＰの端部とが干渉しなくなるため、パネル端部でのひび割れや欠けの発生がなくなる。
【００１３】
稲妻プレート３の一実施形態として、図３に示すように、外観寸法が幅９５ｍｍ×長さ１１０ｍｍ×板厚６ｍｍで段差（段差６ｍｍ、長さ２０ｍｍ）、および上部片３ａ（長さ４０ｍｍ）と下部片３ｂ（長さ５０ｍｍ）を備えたものが例示される。
本発明において、使用される稲妻プレート３の外観寸法等は特に限定されないが、通常に用いられる前記寸法程度の稲妻プレート３において、上部片３ａに突起部３ａａが２個設けられることが好ましい。
すなわち、突起部３ａａが２個設けられていると、少ない突起部３ａａの個数で垂直フランジ部２ａに安定してバランス良く稲妻プレート３が当接されるともに、垂直フランジ部２ａを挟持する際の突起部３ａａにかかる荷重もバランス良く分散される。  このとき、２個の突起部３ａａは、なるべく離間させた方がバランスがより良くなり望ましい。
パネルＰの幅方向の中心部に１つの稲妻プレート３を配設してパネルＰを取り付けるとコストや施工効率の面で良いが、２つ以上の稲妻プレート３をパネルＰの幅方向に離間させて配設することにより、よりバランス良く取り付けに係わる荷重が分散されるとともに、各稲妻プレート３の突起部３ａａが垂直フランジ２ａの表面をより安定して摺動するようになり好ましい。
【００１４】
突起部３ａａの形状は半円球、円錐台、直方体、多角錐等が考えられ、その高さが２ｍｍ〜６ｍｍ（より好ましくは３ｍｍ〜５ｍｍ）であると、稲妻プレート３が垂直フランジ部２ａとの隙間が十分に確保されるとともに安定した摺動ができるようになる。
さらに、突起部３ａａを上から見た平面図の面積は、直径７〜１３ｍｍの円周内に納まるものであれば、垂直フランジ部２ａに安定してバランス良く当接されるともに、垂直フランジ部２ａを挟持する際の荷重も十分に分散させることができて好ましい。
また、垂直フランジ部２ａに当接する先端部分を半球形（ドーム）状にすると、垂直フランジ部２ａに対して稲妻プレート３が傾斜して摺動しても、一定の面積で垂直フランジ部２ａに当接させることができ、摩擦力が常に小さい状態で維持されて本発明の目的がより確実に達成されるので望ましい。
【産業上の利用可能性】
【００１５】
本発明のＡＬＣパネルの上部スライド取付構造は、建物躯体に対してＡＬＣパネルがロッキングすることなく確実にスライドするのみであるため、ほとんどのスライド工法に採用することができる。
【図面の簡単な説明】
【００１６】
【図１】本発明の一実施形態を示す斜視図。
【図２】本発明の一実施形態を示す断面図。
【図３】本発明における稲妻プレートの一実施形態を示す斜視図。
【図４】従来例のスライド取付構造を示す斜視図。
【図５】従来例のスライド取付構造を示す断面図。
【図６】従来例のスライド取付構造における稲妻プレートを示す斜視図。
【符号の説明】
【００１７】
１  建物躯体（Ｈ形鉄骨梁）
１ａ  下側フランジ
２  Ｌ字型定規アングル
２ａ  垂直フランジ部
２ａａ  孔
２ｂ  水平フランジ部
３  稲妻プレート  
３ａ  上部片
３ａａ  突起部
３ｂ  下部片
３ｂａ  貫通孔
４  ボルト  
５  アンカー金具  
６  プレート  
６ａ  貫通孔  
７  ナット
Ｐ  パネル  
３０  稲妻プレート
３０ａ  上側片
３０ａａ  突起
３０ｂ  下側片
３０ｂａ  貫通孔
【図１】
2009235786.tif 000003
【図２】
2009235786.tif 000004
【図３】
2009235786.tif 000005
【図４】
2009235786.tif 000006
【図５】
2009235786.tif 000007
【図６】
2009235786.tif 000008